【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
投影領域に画像を投影する投影手段と、
少なくとも前記投影領域の第１の部分領域を撮像して得られた撮像画像を、前記投影領域の前記第１の部分領域と異なる前記投影領域の第２の部分領域に投影するように、前記投影手段を制御する制御手段と、
を備える投影装置。
【請求項２】
前記制御手段は、前記画像のうち他の投影装置が投影した画像と重なる共通領域を示すマーカ画像を前記画像に重畳して投影するように前記投影手段を制御するものであって、
前記撮像画像は、前記投影領域に投影された前記マーカ画像の少なくとも一部を含む前記第１の部分領域を撮像して得られる画像であることを特徴とする請求項１に記載の投影装置。
【請求項３】
前記撮像画像は、前記他の投影装置が投影した画像に含まれるマーカ画像の少なくとも一部を含む領域と前記第１の部分領域とを撮像して得られる画像であることを特徴とする請求項２に記載の投影装置。
【請求項４】
前記制御手段は、前記投影手段のフォーカスを調整するためのフォーカスマーカ画像を前記画像に重畳して投影するように前記投影手段を制御し、
前記撮像画像は、少なくとも前記投影領域に投影された前記フォーカスマーカ画像を含む前記第１の部分領域を撮像して得られる画像であることを特徴とする請求項１に記載の投影装置。
【請求項５】
前記制御手段は、前記撮像画像を拡大して、前記投影領域の前記第１の部分領域よりも大きい前記投影領域の前記第２の部分領域に投影するように前記投影手段を制御することを特徴とする請求項１乃至請求項４のいずれか１項に記載の投影装置。
【請求項６】
前記第２の部分領域は、前記第１の部分領域と離れた位置であることを特徴とする請求項１乃至請求項５のいずれか１項に記載の投影装置。
【請求項７】
前記撮像画像を取得する撮像手段をさらに備えることを特徴とする請求項１乃至請求項６のいずれか１項に記載の投影装置。
【請求項８】
前記第１の部分領域を指定する操作を受付ける受付手段をさらに備え、
前記撮像手段は、前記第１の部分領域を含む領域を撮像して得られた画像から、前記撮像画像を生成することを特徴とする請求項７に記載の投影装置。
【請求項９】
前記制御手段は、前記投影手段が投影するための投影用画像を生成し、前記投影用画像に基づいて、前記画像を前記投影手段に投影させることを特徴とする請求項１乃至請求項８のいずれか１項に記載の投影装置。
【請求項１０】
前記第２の部分領域は、前記投影領域よりも小さく、かつ前記投影領域の中央を含む領域であることを特徴とする請求項１乃至請求項９のいずれか１項に記載の投影装置。
【請求項１１】
投影領域に画像を投影する投影手段を備える投影装置のプロセッサが実行する投影方法であって、
少なくとも前記投影領域の第１の部分領域を撮像して得られた撮像画像を取得する取得工程と、
前記投影領域の前記第１の部分領域と異なる前記投影領域の第２の部分領域に投影するように、前記投影手段を制御する制御工程と、
を備える投影方法。
【請求項１２】
前記制御工程は、前記画像のうち他の投影装置が投影した画像と重なる共通領域を示すマーカ画像を前記画像に重畳して投影するように前記投影手段を制御するものであって、
前記撮像画像は、前記投影領域に投影された前記マーカ画像の少なくとも一部を含む前記第１の部分領域を撮像して得られる画像であることを特徴とする請求項１１に記載の投影方法。
【請求項１３】
前記撮像画像は、前記他の投影装置が投影した画像に含まれるマーカ画像の少なくとも一部を含む領域と前記第１の部分領域とを撮像して得られる画像であることを特徴とする請求項１２に記載の投影方法。
【請求項１４】
前記制御工程は、前記投影手段のフォーカスを調整するためのフォーカスマーカ画像を前記画像に重畳して投影するように前記投影手段を制御し、
前記撮像画像は、少なくとも前記投影領域に投影された前記フォーカスマーカ画像を含む前記第１の部分領域を撮像して得られる画像であることを特徴とする請求項１１に記載の投影方法。
【請求項１５】
前記制御工程は、前記撮像画像を拡大して、前記投影領域の前記第１の部分領域よりも大きい前記投影領域の前記第２の部分領域に投影するように前記投影手段を制御することを特徴とする請求項１１乃至請求項１４のいずれか１項に記載の投影方法。
【請求項１６】
前記第２の部分領域は、前記第１の部分領域と離れた位置であることを特徴とする請求項１１乃至請求項１５のいずれか１項に記載の投影方法。
【請求項１７】
前記第１の部分領域を指定する操作を受付ける受付工程をさらに備え、
前記取得工程は、前記第１の部分領域を含む領域を撮像して得られた画像から、前記撮像画像を生成することを特徴とする請求項１１乃至請求項１６のいずれか１項に記載の投影方法。
【請求項１８】
前記制御工程は、前記投影手段が投影するための投影用画像を生成し、前記投影用画像に基づいて、前記画像を前記投影手段に投影させることを特徴とする請求項１１乃至請求項１７のいずれか１項に記載の投影方法。
【請求項１９】
前記第２の部分領域は、前記投影領域よりも小さく、かつ前記投影領域の中央を含む領域であることを特徴とする請求項１１乃至請求項１８のいずれか１項に記載の投影方法。
【請求項２０】
第１入力画像に基づく第１投影用画像をスクリーンに投影する第１投影手段を備える第１投影装置と、
第２入力画像に基づく第２投影用画像を前記スクリーンに投影する第２投影手段を備える第２投影装置と、
を有する投影システムであって、
前記スクリーンに投影された画像の少なくとも一部を撮像した撮像画像を、前記一部に重畳しないように、前記第１入力画像および前記第２入力画像の少なくとも一方に重畳する処理手段を備えることを特徴とする投影システム。
【手続補正２】
【補正対象書類名】明細書
【補正対象項目名】０００６
【補正方法】変更
【補正の内容】
【０００６】
本発明の投影装置は、投影領域に画像を投影する投影手段と、少なくとも前記投影領域の第１の部分領域を撮像して得られた撮像画像を、前記投影領域の前記第１の部分領域と異なる前記投影領域の第２の部分領域に投影するように、前記投影手段を制御する制御手段と、を備えることを特徴とする。
【手続補正３】
【補正対象書類名】明細書
【補正対象項目名】０００７
【補正方法】変更
【補正の内容】
【０００７】
本発明の投影方法は、投影装置のプロセッサが実行する投影方法であって、投影領域に画像を投影する投影手段を備える投影装置を用いた投影方法であって、少なくとも前記投影領域の第１の部分領域を撮像して得られた撮像画像を取得する取得工程と、前記投影領域の前記第１の部分領域と異なる前記投影領域の第２の部分領域に投影するように、前記投影手段を制御する制御工程と、を備えることを特徴とする。
【手続補正４】
【補正対象書類名】明細書
【補正対象項目名】０００８
【補正方法】変更
【補正の内容】
【０００８】
本発明の投影システムは、第１入力画像に基づく第１投影用画像をスクリーンに投影する第１投影手段を備える第１投影装置と、第２入力画像に基づく第２投影用画像を前記スクリーンに投影する第２投影手段を備える第２投影装置と、を有する投影システムであって、前記スクリーンに投影された画像の少なくとも一部を撮像した撮像画像を、前記一部に重畳しないように、前記第１入力画像および前記第２入力画像の少なくとも一方に重畳する処理手段を備えることを特徴とする。